(57)【要約】【課題】  本発明は、電子閃光装置等の照明装置に関し、バウンス光の色温度を調整することを目的とする。【解決手段】  照明光を発光する発光部を備えた照明装置において、前記照明光のバウンス光の色温度を測定する第１の色温度測定部を有することを特徴とする。また、前記第１の色温度測定部は、前記照明光の発光方向に向けて設けられていることを特徴とする。さらに、環境光の色温度を測定する第２の色温度測定部を有することを特徴とする。【選択図】      図２
2008256849.tif 000002
【特許請求の範囲】
【請求項１】
照明光を発光する発光部を備えた照明装置において、
前記照明光のバウンス光の色温度を測定する第１の色温度測定部を有することを特徴とする照明装置。
【請求項２】
請求項１記載の照明装置において、
前記第１の色温度測定部は、前記照明光の発光方向に向けて設けられていることを特徴とする照明装置。
【請求項３】
請求項１または請求項２記載の照明装置において、
環境光の色温度を測定する第２の色温度測定部を有することを特徴とする照明装置。
【請求項４】
カメラの取付座に取付部を介して取り付けられる本体部と、
前記本体部に回動可能に配置され照明光を発光する発光部と、
前記照明光のバウンス光の色温度を測定する第１の色温度測定部と、
を有することを特徴とする照明装置。
【請求項５】
請求項４記載の照明装置において、
前記第１の色温度測定部は、前記発光部に前記照明光の発光方向に向けて設けられていることを特徴とする照明装置。
【請求項６】
請求項４または請求項５記載の照明装置において、
環境光の色温度を測定する第２の色温度測定部を有することを特徴とする照明装置。
【請求項７】
請求項６記載の照明装置において、
前記第２の色温度測定部は、前記本体部に設けられていることを特徴とする照明装置。
【請求項８】
照明光を発光する発光手段と、
前記照明光のバウンス光の色温度を測定する第１の色温度測定手段と、
前記第１の色温度測定手段で測定された前記バウンス光の色温度に基づいて前記照明光の色温度を調整する色温度調整手段と、
を有することを特徴とする照明装置。
【請求項９】
請求項８記載の照明装置において、
前記色温度調整手段は、
前記照明光の色温度を変更可能な色温度変更手段と、
前記色温度変更手段を制御する色温度制御手段と、
を有することを特徴とする照明装置。
【請求項１０】
請求項９記載の照明装置において、
前記色温度調整手段は、前記第１の色温度測定手段で測定された前記バウンス光の色温度に基づいて前記照明光の色温度を設定する色温度設定手段を有することを特徴とする照明装置。
【請求項１１】
請求項８ないし請求項１０のいずれか１項記載の照明装置において、
環境光の色温度を測定する第２の色温度測定手段を有し、
前記色温度調整手段は、前記第１の色温度測定手段で測定された前記バウンス光の色温度を前記環境光の色温度に調整することを特徴とする照明装置。
【請求項１２】
請求項８ないし請求項１１のいずれか１項記載の照明装置において、
前記色温度調整手段は、前記発光手段を予備発光して得られたバウンス光の色温度に基づいて前記照明光の色温度を調整することを特徴とする照明装置。
【発明の詳細な説明】
【技術分野】
【０００１】
本発明は、電子閃光装置等の照明装置に関する。
【背景技術】
【０００２】
従来、自然な画像を得るために、閃光装置からの光を天井や壁に照射し、その反射光であるバウンス光により被写体を撮影するバウンス撮影が行われている。
【特許文献１】特許第３４１７６１３号公報
【発明の開示】
【発明が解決しようとする課題】
【０００３】
しかしながら、従来のバウンス撮影では、閃光装置からの光を、赤みや青み等の色付きがある天井や壁に照射すると、バウンス光が色付いてしまい画像に色被りが発生するという問題があった。
【０００４】
本発明は、かかる従来の問題を解決するためになされたもので、バウンス光の色温度を調整することができる照明装置を提供することを目的とする。
【課題を解決するための手段】
【０００５】
第１の発明の照明装置は、照明光を発光する発光部を備えた照明装置において、前記照明光のバウンス光の色温度を測定する第１の色温度測定部を有することを特徴とする。
【０００６】
第２の発明の照明装置は、第１の発明の照明装置において、前記第１の色温度測定部は、前記照明光の発光方向に向けて設けられていることを特徴とする。
【０００７】
第３の発明の照明装置は、第１または第２の発明の照明装置において、環境光の色温度を測定する第２の色温度測定部を有することを特徴とする。
【０００８】
第４の発明の照明装置は、カメラの取付座に取付部を介して取り付けられる本体部と、前記本体部に回動可能に配置され照明光を発光する発光部と、前記照明光のバウンス光の色温度を測定する第１の色温度測定部とを有することを特徴とする。
【０００９】
第５の発明の照明装置は、第４の発明の照明装置において、前記第１の色温度測定部は、前記発光部に前記照明光の発光方向に向けて設けられていることを特徴とする。
【００１０】
第６の発明の照明装置は、第４または第５の発明の照明装置において、環境光の色温度を測定する第２の色温度測定部を有することを特徴とする。
【００１１】
第７の発明の照明装置は、第６の発明の照明装置において、前記第２の色温度測定部は、前記本体部に設けられていることを特徴とする。
【００１２】
第８の発明の照明装置は、照明光を発光する発光手段と、前記照明光のバウンス光の色温度を測定する第１の色温度測定手段と、前記第１の色温度測定手段で測定された前記バウンス光の色温度に基づいて前記照明光の色温度を調整する色温度調整手段とを有することを特徴とする。
【００１３】
第９の発明の照明装置は、第８の発明の照明装置において、前記色温度調整手段は、前記照明光の色温度を変更可能な色温度変更手段と、前記色温度変更手段を制御する色温度制御手段とを有することを特徴とする。
【００１４】
第１０の発明の照明装置は、第９の発明の照明装置において、前記色温度調整手段は、前記第１の色温度測定手段で測定された前記バウンス光の色温度に基づいて前記照明光の色温度を設定する色温度設定手段を有することを特徴とする。
【００１５】
第１１の発明の照明装置は、第８ないし第１０のいずれか１の発明の照明装置において、環境光の色温度を測定する第２の色温度測定手段を有し、前記色温度調整手段は、前記第１の色温度測定手段で測定された前記バウンス光の色温度を前記環境光の色温度に調整することを特徴とする。
【００１６】
第１２の発明の照明装置は、第８ないし第１１のいずれか１の発明の照明装置において、前記色温度調整手段は、前記発光手段を予備発光して得られたバウンス光の色温度に基づいて前記照明光の色温度を調整することを特徴とする。
【発明の効果】
【００１７】
本発明では、バウンス光の色温度を調整することができる。
【発明を実施するための最良の形態】
【００１８】
以下、本発明の一実施形態を図面を用いて詳細に説明する。
【００１９】
図１は本発明の照明装置の一実施形態を示している。この実施形態では、本発明がカメラ用の閃光装置に適用される。
【００２０】
閃光装置１１は、本体部１３の下部に取付部１５を有している。取付部１５の上部には、発光部１７が配置されている。発光部１７は、図２に示すように、軸部１９を中心にして本体部１３に回動可能に配置されている。
【００２１】
図３は、閃光装置１１をカメラ２１に取り付けバウンス撮影を行っている状態を示している。
【００２２】
カメラ２１はデジタルカメラである。閃光装置１１の取付部１５は、カメラ２１の上面に配置される取付座(不図示)に装着されている。カメラ２１には、撮影レンズ２３が装着されている。閃光装置１１の発光部１７は、天井２５に向けて回動されている。発光部１７からの照明光Ｓは、天井２５で反射し、反射光であるバウンス光Ｂにより被写体Ｈが撮影される。被写体Ｈの上方および側方には、室内を照明する光源であるランプ２７，２９が配置されている。
【００２３】
図１において、発光部１７には、キセノン管３１、色温度変換フィルタ３３、第１の色温度測定部３５が設けられている。また、本体部１３には、第２の色温度測定部３７が設けられている。
【００２４】
キセノン管３１は、閃光からなる照明光を発光する。
【００２５】
色温度変換フィルタ３３は、キセノン管３１で発光した照明光の色温度を変更可能とされている。色温度変換フィルタ３３は、キセノン管３１の前方に配置されており、キセノン管３１で発光した照明光の色温度を調整する。色温度変換フィルタ３３には、例えば、透明電極を備えたゲスト・ホスト(ＧＨ)液晶セルが用いられる。この液晶セルは、例えば、特許第３４１７６１３号公報等により周知であるため詳細な説明を省略する。
【００２６】
第１の色温度測定部３５は、図２に示すように、キセノン管３１で発光し色温度変換フィルタ３３を通過した照明光Ｓのバウンス光Ｂの色温度を測定する。第１の色温度測定部３５は、測色センサ(不図示)を有している。測色センサは、例えば、互いに異なるフィルタ特性を持った２種類または３種類の光学フィルタを通した光をそれぞれ受光素子で受け、その光強度の比率から色温度を測定する。測色センサは、例えば、特許第３４１７６１３号公報等により周知であるため詳細な説明を省略する。第１の色温度測定部３５の測色センサは、照明光Ｓの発光方向に向けて設けられている。従って、バウンス光Ｂの色温度を確実に測定することができる。
【００２７】
第２の色温度測定部３７は、環境光の色温度を測定する。環境光とは、閃光装置１１から発生する照明光Ｓ以外の光であり、図３では、室内を照明するランプ２７，２９の光である。第２の色温度測定部３７は、測色センサ(不図示)、光拡散部材３７ａを有している。測色センサには、第１の色温度測定部３５の測色センサと同様のものを用いることができる。測色センサは、光拡散部材３７ａ内に収容されている。光拡散部材３７ａは、例えば、乳白色の部材からなる。第２の色温度測定部３７は、図３に示すように、カメラ２１に閃光装置１１を装着した時に、被写体Ｈ側を向くように本体部１３に設けられている。従って、環境光の色温度を確実に測定することができる。
【００２８】
図４は、上述した閃光装置１１およびカメラ２１の要部を示すブロック図である。
【００２９】
閃光装置１１をカメラ２１に取り付けることにより、閃光装置１１側のデータバス１１Ａがカメラ２１側のデータバス２１Ａに接続されている。
【００３０】
カメラ２１は、撮像素子４１、Ａ／Ｄ変換部４３、内部メモリ４５を有している。また、カメラ側ＣＰＵ４７、画像処理部４９、測光センサ５１、シャッタ５３、メインミラー５５を有している。
【００３１】
撮像素子４１は受光面の結像を光電変換してアナログ画像信号を生成する。Ａ／Ｄ変換部４３は、撮像素子４１のアナログ画像信号をデジタル画像信号に変換する。内部メモリ４５は、画像処理部４９での画像処理の前工程および後工程でのデータを一時的に保存する。画像処理部４９は、デジタル画像信号に所定の画像処理を施して画像データを生成する。
【００３２】
カメラ側ＣＰＵ４７は、所定のシーケンスプログラムに従って各部動作を制御する。具体的には、メインミラー５５およびシャッタ５３等の駆動制御や、撮影時の画像処理プロセスの制御などを実行する。カメラ側ＣＰＵ４７には、レリーズスイッチ５７からの半押し信号および全押し信号が入力される。
【００３３】
閃光装置１１は、閃光装置側ＣＰＵ６１、充電／発光回路６３、キセノン管３１、バウンス状態検出部６５を有している。また、色温度設定部６７、第１の色温度測定部３５、第２の色温度測定部３７、色温度制御部６９、色温度変換フィルタ３３を有している。
【００３４】
閃光装置側ＣＰＵ６１は、所定のシーケンスプログラムに従って各部動作を制御する。具体的には、充電／発光回路６３等の駆動制御を実行する。バウンス状態検出部６５は、閃光装置１１の発光部１７がバウンス撮影状態にあるか否かを検出する。具体的には、本体部１３に対する発光部１７の回動角度を検出し、所定の角度範囲にあるときにバウンス状態にあると判断する。
【００３５】
色温度設定部６７は、第１の色温度測定部３５で測定されたバウンス光Ｂの色温度および第２の色温度測定部３７で測定された環境光の色温度を入力する。そして、バウンス光Ｂの色温度に基づいて本発光時の照明光Ｓの色温度が環境光の色温度になるような色温度を設定する。例えば、赤みが強い天井２５であればバウンス光Ｂの色温度が第１の色温度測定部３５により低く測定される。この場合には、色温度設定部６７は、照明光Ｓの色温度が環境光の色温度になるように、バウンス光Ｂの色温度より高めに照明光Ｓの色温度を設定する。一方、環境光が、例えばタングステンランプであれば、バウンス光Ｂの色温度をより低い色温度に設定する。
【００３６】
色温度制御部６９は、キセノン管３１で発光した照明光Ｓの色温度が、色温度設定部６７で設定された色温度になるように色温度変換フィルタ３３を制御する。
【００３７】
図５は、上述した閃光装置１１およびカメラ２１の撮影処理の要部を示すタイミングチャートである。
【００３８】
Ｄ１においてレリーズスイッチ５７が全押しされると、Ｄ２においてバウンス光Ｂの測色が行われる。バウンス光Ｂの測色は、閃光装置１１を予備発光し、第１の色温度測定部３５によりバウンス光Ｂの色温度を測定することにより行われる。図３に示すように閃光装置１１の発光部１７を天井２５に向けた状態でキセノン管３１を予備発光する。Ｄ３は、この時の予備発光波形を示している。そして、天井２５で反射したバウンス光Ｂを発光部１７に配置される第１の色温度測定部３５で測色する。
【００３９】
次に、Ｄ４において環境光の測色が行われる。環境光の測色は、閃光装置１１の本体部１３に配置される第１の色温度測定部３５により環境光の色温度を測定することにより行われる。
【００４０】
次に、Ｄ５において色温度変換フィルタ３３のフィルタ色が変更される。フィルタ色の変更は、色温度設定部６７で設定された色温度になるように色温度制御部６９を介して色温度変換フィルタ３３を制御することにより行われる。
【００４１】
次に、Ｄ６においてシャッタ５３が開閉される。シャッタ５３の開に伴いＤ７において充電／発光回路６３に本発光開始信号が出力されキセノン管３１の発光が開始される。そして、所定時間経過後のＤ８において充電／発光回路６３に本発光停止信号が出力されキセノン管３１の発光が停止される。Ｄ９は、この時の本発光波形を示している。
【００４２】
上述した閃光装置１１では、第１の色温度測定部３５で測定されたバウンス光Ｂの色温度に基づいて照明光Ｓの色温度が環境光の色温度になるように調整される。従って、天井２５に赤みや青み等の色付きがある場合にも、色被りを心配することなくバウンス撮影を行うことができる。
(実施形態の補足事項)
以上、本発明を上述した実施形態によって説明してきたが、本発明の技術的範囲は上述した実施形態に限定されるものではなく、例えば、以下のような形態でも良い。
【００４３】
(１)上述した実施形態では、バウンス光Ｂの色温度を環境光の色温度になるようにした例について説明したが、例えば、バウンス光Ｂの色温度を５０００〜５５００Ｋ程度の標準的な撮影用照明光の色温度になるようにしても良い。
【００４４】
(２)上述した実施形態では、第１の色温度測定部３５と第２の色温度測定部３７を別々に設けた例について説明したが、例えば、第１の色温度測定部３５に指向性を持たせ第２の色温度測定部３７の機能を付与するようにしても良い。
【００４５】
(３)上述した実施形態では、第２の色温度測定部３７を閃光装置１１側に設けた例について説明したが、例えば、カメラ２１側に設けるようにしても良い。
【００４６】
(４)上述した実施形態では、天井２５に照明光Ｓを反射してバウンス撮影を行った例について説明したが、例えば、壁等に照明光を反射してバウンス撮影を行っても良い。
【００４７】
(５)上述した実施形態では、デジタルカメラ２１による撮影に本発明を適用した例について説明したが、フィルムカメラ等による撮影にも適用することができる。
【００４８】
(６)上述した実施形態では、カメラ２１に着脱可能な閃光装置１１に本発明を適用した例について説明したが、例えば、カメラに内蔵等される閃光装置にも適用することができる。
【００４９】
(７)上述した実施形態では、閃光装置１１に本発明を適用した例について説明したが、閃光装置以外の照明装置にも広く適用することができる。
【図面の簡単な説明】
【００５０】
【図１】本発明の照明装置の一実施形態を示す説明図である。
【図２】図１の閃光装置のバウンス状態を示す説明図である。
【図３】図１の閃光装置によりバウンス撮影している状態を示す説明図である。
【図４】図１の閃光装置およびカメラを示すブロック図である。
【図５】図１の閃光装置およびカメラの動作を示すタイミングチャートである。
【符号の説明】
【００５１】
１１…閃光装置、１３…本体部、１５…取付部、１７…発光部、２１…カメラ、２５…天井、２７，２９…ランプ、３１…キセノン管、３３…色温度変換フィルタ、３５…第１の色温度測定部、３７…第２の色温度測定部、４７…カメラ側ＣＰＵ、６１…閃光装置側ＣＰＵ、６７…色温度設定部、６９…色温度制御部、Ｈ…被写体、Ｓ…照明光、Ｂ…バウンス光。
【図１】
2008256849.tif 000003
【図２】
2008256849.tif 000004
【図３】
2008256849.tif 000005
【図４】
2008256849.tif 000006
【図５】
2008256849.tif 000007